(57)【特許請求の範囲】
【請求項１】
高所に在る対象物に吊り下げロープを懸けるロープ懸け方法であって、
紐状または帯状の本体部材の両端部に装着された２つの第１、第２のロープ通し部材を備え、第１、第２のロープ通し部材を下にして対象物に巻き掛けた状態で、第１、第２のロープ通し部材の各通し孔に吊り下げロープを挿通して吊り下げるためのロープ懸け補助具と、第１、第２のロープ通し部材のいずれの通し孔より細く、吊り下げロープに取り付けて誘導するための誘導用線材と、誘導用線材に着脱自在に形成されるとともに、第１、第２のロープ通し部材の内、少なくとも第１のロープ通し部材の通し孔を通過しない大きさの錘とを用意し、
地上近くで、誘導用線材の一端側を第２のロープ通し部材の通し孔に通すとともに、第２のロープ通し部材から見て前記一端側の誘導用線材に錘を取り付けた状態とし、
誘導用線材の取り付けられた錘を高所に在る対象物の上を手前側から奥側に超えるように放擲し、地上側に落として誘導用線材を対象物に懸け、
誘導用線材から錘を外し、誘導用線材の前記一端側を第１のロープ通し部材の通し孔に通すとともに、第１のロープ通し部材から見て前記一端側の誘導用線材に錘を取り付けた状態とし、
対象物から両側に垂れ下がった誘導用線材の２本の線状部の内、錘が取り付けられた側とは反対側の操作側の線状部を下方へ引き下げることにより、錘が第１のロープ通し部材に係合した状態で最初はロープ懸け補助具を対象物に向けて吊り上げ、次に対象物に巻き掛けさせ、
ロープ懸け補助具が第１、第２のロープ通し部材を下にして対象物に巻き掛けた状態となったところで、操作側の線状部の引き下げを止め、
次に、操作側の線状部の上昇を許容しながら錘を自重で地上に向けて降下させ、
錘が地上近くに来たところで、誘導用線材から錘を外すとともに代わりに誘導用線材の前記一端または一端近くに吊り下げロープの一端または一端近くを取り付け、
操作側の線状部を下方へ引き下げ、誘導用線材に取り付けられた吊り下げロープの一端側を、最初は対象物に向けて引き上げ、次に、第１、第２のロープ通し部材の各通し孔を通過させ、最後に地上に向けて引き下げることにより、
ロープ懸け補助具を介して、高所に在る対象物に吊り下げロープを懸けるようにしたこと、
を特徴とするロープ懸け方法。
【発明の詳細な説明】
【技術分野】
【０００１】
本発明はロープ懸け方法に係り、とくに手の届かない高所に在る梁、横木、等の対象物にロープを懸架したい場合に用いて好適なロープ懸け方法に関する。
【背景技術】
【０００２】
建設現場などで、手の届かない高所に横に渡された梁などの対象物にロープを懸けたい場合がある。従来はロープの一端に錘（ウエイト）を取り付け、この錘を対象物の上を横切りながら越えて落下するように投げることで、ロープが対象物の上に懸かるとともに、ロープの両側が対象物から地面に向けて垂れ下がった状態となるようにしていた。
【０００３】
ところがロープが太く重い場合、対象物の上を超すように錘を投げることが難しい問題があった。
【発明の概要】
【発明が解決しようとする課題】
【０００４】
本発明は上記した従来技術の問題に鑑みなされたもので、太いロープでも対象物に確実にロープを懸けることのできるロープ懸け方法を提供することを、その目的とする。
【課題を解決するための手段】
【０００５】
請求項１記載の発明では、
高所に在る対象物に吊り下げロープを懸けるロープ懸け方法であって、
紐状または帯状の本体部材の両端部に装着された２つの第１、第２のロープ通し部材を備え、第１、第２のロープ通し部材を下にして対象物に巻き掛けた状態で、第１、第２のロープ通し部材の各通し孔に吊り下げロープを挿通して吊り下げるためのロープ懸け補助具と、第１、第２のロープ通し部材のいずれの通し孔より細く、吊り下げロープに取り付けて誘導するための誘導用線材と、誘導用線材に着脱自在に形成されるとともに、第１、第２のロープ通し部材の内、少なくとも第１のロープ通し部材の通し孔を通過しない大きさの錘とを用意し、
地上近くで、誘導用線材の一端側を第２のロープ通し部材の通し孔に通すとともに、第２のロープ通し部材から見て前記一端側の誘導用線材に錘を取り付けた状態とし、
誘導用線材の取り付けられた錘を高所に在る対象物の上を手前側から奥側に超えるように放擲し、地上側に落として誘導用線材を対象物に懸け、
誘導用線材から錘を外し、誘導用線材の前記一端側を第１のロープ通し部材の通し孔に通すとともに、第１のロープ通し部材から見て前記一端側の誘導用線材に錘を取り付けた状態とし、
対象物から両側に垂れ下がった誘導用線材の２本の線状部の内、錘が取り付けられた側とは反対側の操作側の線状部を下方へ引き下げることにより、錘が第１のロープ通し部材に係合した状態で最初はロープ懸け補助具を対象物に向けて吊り上げ、次に対象物に巻き掛けさせ、
ロープ懸け補助具が第１、第２のロープ通し部材を下にして対象物に巻き掛けた状態となったところで、操作側の線状部の引き下げを止め、
次に、操作側の線状部の上昇を許容しながら錘を自重で地上に向けて降下させ、
錘が地上近くに来たところで、誘導用線材から錘を外すとともに代わりに誘導用線材の前記一端または一端近くに吊り下げロープの一端または一端近くを取り付け、
操作側の線状部を下方へ引き下げ、誘導用線材に取り付けられた吊り下げロープの一端側を、最初は対象物に向けて引き上げ、次に、第１、第２のロープ通し部材の各通し孔を通過させ、最後に地上に向けて引き下げることにより、
ロープ懸け補助具を介して、高所に在る対象物に吊り下げロープを懸けるようにしたこと、
を特徴としている。
【発明の効果】
【０００６】
本発明によれば、錘を放擲する際は、吊り下げロープの代わりに細い誘導用線材を取り付ければ済むとともに、吊り下げロープは誘導用線材を操作してロープ懸け補助具に吊り下げさせることができ、太く、重い吊り下げロープであっても、確実に対象物に懸けることができる。
【図面の簡単な説明】
【０００７】
【図１】本発明の一実施例に係るロープ懸け方法を実現するために使用する用具の説明図である（実施例１）。
【図２】図１中のロープ懸け補助具の正面図である。
【図３】ロープ懸け方法の説明図である。
【図４】ロープ懸け方法の説明図である。
【図５】ロープ懸け方法の説明図である。
【図６】ロープ懸け方法の説明図である。
【図７】ロープ懸け方法の説明図である。
【図８】ロープ懸け方法の説明図である。
【図９】ロープ懸け方法の説明図である。
【図１０】ロープ懸け方法の説明図である。
【図１１】ロープ懸け方法の説明図である。
【図１２】ロープ懸け方法の説明図である。
【図１３】ロープ懸け方法の説明図である。
【図１４】ロープ懸け方法の説明図である。
【図１５】ロープ懸け方法の説明図である。
【図１６】ロープ懸け方法の説明図である。
【図１７】ロープ懸け方法の説明図である。
【図１８】ロープ懸け方法の説明図である。
【図１９】ロープ懸け方法の説明図である。
【発明を実施するための最良の形態】
【０００８】
以下、本発明の最良の形態を実施例に基づき説明する。
【実施例１】
【０００９】
初めに図１、図２を用いて本発明の一実施例に係るロープ懸け方法に使用する用具を説明する。
図１において、１は高所に横に渡された梁（縦断面）であり、カゴ２に巻回して収納された吊り下げロープ３を懸ける対象物の一例である。４はロープ懸け補助具であり、梁１に巻き掛けて吊り下げロープ２を吊り下げるために用いる。５は吊り下げロープ２に取り付けて誘導するための誘導用線材であり、カゴ６に巻回して収納されている。誘導用線材５は吊り下げロープ２より細く、また単位長さあたりの重量が吊り下げロープ２より軽量である。７は誘導用線材５の一端または一端近くに着脱自在に取り付けられる錘（ウエイト）である。吊り下げロープ２と誘導用線材５は、各々地上から梁１までの高さの略２倍の長さか、２倍以上の長さを有している。
【００１０】
ロープ懸け補助具４は図２に示す如く、金属ワイヤを束ねた紐状の本体部材１０と、本体部材１０の両端部の輪部１１、１２に各々装着した小径と大経のリング状の第１、第２のロープ通し部材１３、１４から成る。第１のロープ通し部材１３はスイベル部１５を介して輪部１１に取着されている。本体部材１０は梁１に略逆Ｕ字状に略１周だけ巻き掛け可能な長さ（梁１の周長より少し長い長さ）を有している。ロープ懸け補助具４は、第１、第２のロープ通し部材１３、１４を下にして梁１に巻き掛けた状態で、第１、第２のロープ通し部材１３、１４の各通し孔１６、１７に吊り下げロープ２を挿通すことにより、吊り下げロープ２を吊り下げ可能とするためのものである。
【００１１】
この実施例では第２のロープ通し部材１４の通し孔１７は、第１のロープ通し部材１３の通し孔１６より大きく形成されている。誘導用線材５と吊り下げロープ２は、いずれも通し孔１６、１７の径より細く、内部に挿通自在である。錘７は通し孔１６より大きく通過不能であるが、通し孔１７よりは小さく通過可能である。
【００１２】
次に、図３乃至図１９を参照して本実施例に係るロープ懸け方法の手順を説明する。
（１）準備作業
まず、地上近くで、誘導用線材５の一端または一端近くに錘７を取り付け、錘７をロープ懸け補助具４の大経の第２のロープ通し部材１４の通し孔１７に通す（図３参照。なお、先に誘導用線材５の一端側を第２のロープ通し部材１４の通し孔１７に通したあと、ロープ通し部材１４から見て前記一端寄りの誘導用線材５の一端または一端近くに錘７を取り付けても良い。要は、誘導用線材５の一端側を通し孔１７に通すとともに第２のロープ通し部材１４から見て誘導用線材５の前記一端寄りに錘７を取り付けた状態とすれば良い）。
【００１３】
そして、ロープ懸け補助具４は地上近くに残したまま、誘導用線材５の取り付けられた錘７を高所に在る梁１の上を手前側から奥側に超えるように放擲し（図４参照）、地上側に落として誘導用線材５を梁１に逆Ｕ字状に懸け、誘導用線材５の両側の線状部５ａ、５ｂが地上近くまで垂れ下がるようにする（図５参照）。
【００１４】
次に、誘導用線材５から錘７を外し、誘導用線材５の前記一端側を第１のロープ通し部材１３の通し孔１６に通すとともに第１のロープ通し部材１３から見て誘導用線材５の前記一端寄りに錘７を取り付ける（図６、図７参照）。
そして、梁１から両側に垂れ下がった誘導用線材５の２本の線状部５ａ、５ｂの内、錘７が取り付けられた側とは反対側を操作側として、操作側の線状部５ｂを手に持って下方へ引き下げることにより、錘７が第１のロープ通し部材１３の通し孔１６に係合した状態でロープ懸け補助具４を吊り上げる（図７、図８参照）。
【００１５】
錘７が梁１に達したあとも、線状部４ｂの引き下げを続けると、錘７が第１のロープ通し部材１３に係合したままロープ懸け補助具４が梁１の奥側側面４ａ、上面４ｂ、手前側側面４ｃの順に周回しながら巻き掛かっていく（図９乃至図１１）。若し、周回途中で第１のロープ通し部材１３が梁１に引っ掛かり掛けても、スイベル部１５によって本体部材１０と第１のロープ通し部材１３の間の角度が自在に変化することにより、梁１に対する引っ掛かりが防止される。第１のロープ通し部材１３が梁１の下側まで来て、第２のロープ通し部材１４に近接し、ロープ懸け補助具４が第１、第２のロープ通し部１３、１４を下にして梁１に略１周だけ完全に巻き掛けた状態となったところで、操作側の線状部４ｂの引き下げを止める（図１１参照）。
この際、錘７は第１のロープ通し部１３の通し孔１６を通過することなく、第１のロープ通し部１３から吊り下がった状態となる。
【００１６】
次に、引き下げを行った前記操作側の線状部４ｂを持つ手を緩めて上昇を許容しながら錘７を自重で地上に向けて降下させる（図１２参照）。錘７が地上近くに来たところで（図１３）、誘導用線材５から錘７を外すとともに線材４の前記一端または一端近くに吊り下げロープ２の一端または一端近くを取り付ける（図１４参照）。
【００１７】
そして、操作側の線状部４ｂを下方へ引き下げ、誘導用線材５に取り付けられた吊り下げロープ２の一端側を、最初は梁１に向けて引き上げ（図１５、図１６参照）、次に、第１、第２のロープ通し部材１３、１４の各通し孔１６、１７を挿通させ（図１７参照）、最後に地上に向けて引き下げる。誘導用線材５を最後まで引き下げ、吊り下げロープ２が第１、第２のロープ通し部材１３、１４に挿通され逆Ｕ字状に吊り下げられ、両側のロープ部２ａ、２ｂが地上近くまで垂れ下がった状態とする（図１８参照）。
あとは、吊り下げロープ２から誘導用線材５を外すことにより、吊り下げ補助具４を介して、高所に在る梁１に吊り下げロープ２を懸けることができる（図１９参照）。
【００１８】
この実施例によれば、紐状の本体部材１０の両端部に装着された２つの第１、第２のロープ通し部材１３、１４を備え、第１、第２のロープ通し部材１３、１４を下にして梁１に巻き掛けた状態で、第１、第２のロープ通し部材１３、１４の各通し孔１６、１７に吊り下げロープ２を挿通して吊り下げるためのロープ懸け補助具４と、第１、第２のロープ通し部材１３、１４のいずれの通し孔１６、１７より細い吊り下げロープ２に取り付けて誘導するための誘導用線材５と、誘導用線材５に着脱自在に形成されるとともに、第１、第２のロープ通し部材１３、１４の内、少なくとも第１のロープ通し部材１３の通し孔１６、１７を通過しない大きさの錘７とを用意し、地上近くで、誘導用線材５の一端側を第２のロープ通し部材１４の通し孔１７に通すとともに、第２のロープ通し部材１４から見て誘導用線材５の前記一端寄りに錘７を取り付けた状態とし、誘導用線材５の取り付けられた錘５を高所に在る梁１の上を手前側から奥側に超えるように放擲し、地上側に落として誘導用線材５を対象物に懸け、誘導用線材５から錘７を外し、誘導用線材５の前記一端側を第１のロープ通し部材１３の通し孔１６に通すとともに、第１のロープ通し部材１３から見て誘導用線材５の前記一端寄りに錘７を取り付けた状態とし、梁１から両側に垂れ下がった誘導用線材５の２本の線状部５ａ、５ｂの内、錘７が取り付けられた側とは反対側の操作側の線状部５ｂを下方へ引き下げることにより、錘７が第１のロープ通し部材１３に係合した状態で最初はロープ懸け補助具４を梁１に向けて吊り上げ、次に梁１に巻き掛けさせ、ロープ懸け補助具４が第１、第２のロープ通し部材１３、１４を下にして梁１に略１周だけ完全に巻き掛けた状態となったところで、操作側の線状部４ｂの引き下げを止め、次に、操作側の線状部４ｂの上昇を許容しながら錘７を自重で地上に向けて降下させ、錘７が地上近くに来たところで、誘導用線材５から錘７を外すとともに代わりに誘導用線材５の前記一端または一端近くに吊り下げロープ２の一端または一端近くを取り付け、操作側の線状部４ｂを下方へ引き下げ、誘導用線材５に取り付けられた吊り下げロープ２の前記一端側を、最初は梁１に向けて引き上げ、次に、第１、第２のロープ通し部材１３、１４の各通し孔１６、１７を挿通させ、最後に地上に向けて引き下げることにより、吊り下げ補助具４を介して、高所に在る梁１に吊り下げロープ２を懸けることができる。従って、錘７を放擲する際は、吊り下げロープ２の代わりに細い誘導用線材５を取り付ければ済むとともに、吊り下げロープ２は誘導用線材５を操作してロープ懸け補助具５に吊り下げさせるので、太く、重い吊り下げロープ２であっても、確実に梁１に懸けることができる。
【００１９】
なお、上記した実施例では、ロープ懸け補助具の第１、第２のロープ通し部材の大きさが異なる場合を例に挙げて説明したが、同じ大きさとしても良く、要は、第１、第２のロープ通し部材の各通し孔が誘導用線材と吊り下げロープの両方とも挿通可能な大きさであり、少なくとも一方の通し孔が錘の通過を阻止する大きさであれば良い。
また、錘は大きさまたは重さの異なる複数個を用意し、最初の放擲時に使用する錘と、ロープ懸け補助具の吊り上げに使用する錘を換えても良い。
また、ロープ懸け補助具の本体部材を紐状とした場合を例に挙げて説明したが、帯状としても良い。
また、錘を係合させる第１のロープ通し部材にスイベル部を付加したが、省略しても良い。或いは、第１、第２のロープ通し部材の両方にスイベル部を付加するようにしても良い。
また、吊り下げロープを懸ける対象物は、梁のほか、横木など、他のものでも良い。
【産業上の利用可能性】
【００２０】
本発明は、手の届かない高所に在る梁、横木等の対象物の上にロープを懸ける場合に適用可能である。
【符号の説明】
【００２１】
１  梁
２  吊り下げロープ
４  ロープ懸け補助具
５  誘導用線材
７  錘
【要約】      （修正有）【課題】太く重いロープでも対象物に懸架できる方法、及び補助具を提供する。【解決手段】紐状の本体部材の両端に第１、第２のロープ通し部材１３、１４を設けたロープ懸け補助具４を用意し、地上で誘導用線材５の一端側を第２のロープ通し部材１３に通し、一端に錘を付け、高所に在る梁１の上を横切るように放擲する。錘を外し、誘導用線材５の一端を第１のロープ通し部材１３に通し、一端に再度錘を付け、誘導用線材５の内、錘と反対の操作側線状部５ｂを引き下げ、錘に係合したロープ懸け補助具４を引き上げ、梁１に略１周巻き掛け、第１、第２のロープ通し部材１３、１４を梁１の下に来させる。線状部５ｂの上昇を許容して錘を自重で地上に降下させ、線状部の錘を吊り上げロープ２の一端に付け替えたのち、再び線状部5bを引き下げて吊り下げロープ２を第１、第２のロープ通し部材１３、１４に吊り下げられた状態とする。【選択図】図１７【図１】
0006868259.tif 000002
【図２】
0006868259.tif 000003
【図３】
0006868259.tif 000004
【図４】
0006868259.tif 000005
【図５】
0006868259.tif 000006
【図６】
0006868259.tif 000007
【図７】
0006868259.tif 000008
【図８】
0006868259.tif 000009
【図９】
0006868259.tif 000010
【図１０】
0006868259.tif 000011
【図１１】
0006868259.tif 000012
【図１２】
0006868259.tif 000013
【図１３】
0006868259.tif 000014
【図１４】
0006868259.tif 000015
【図１５】
0006868259.tif 000016
【図１６】
0006868259.tif 000017
【図１７】
0006868259.tif 000018
【図１８】
0006868259.tif 000019
【図１９】
0006868259.tif 000020